(57)【要約】【課題】室内ユニットに設けられた付随装置に異常が生じた事を簡単な構成で報知可能とする。【解決手段】  室内熱交換器２１及び送風ファン２２を収容する筐体２０に除菌装置１５０が設けられた１又は複数の室内ユニット２を有する空気調和装置であって、前記室内ユニット２は、自ユニットに異常が生じた場合、又は、前記付随装置に異常が生じた場合に、自ユニットを遠隔操作するリモートコントローラ３５０に対して前記自ユニットに異常が生じた旨を出力して報知すると共に、前記筐体２０のうち、前記筐体２０の室内空気の吸込口３３に設けられたフィルタユニット３５の内側に相当する箇所に、前記除菌装置１５０に異常が生じた場合に当該異常を点灯表示するＬＥＤ３２１を設ける構成とした。【選択図】図３
2008175470.tif 000002
【特許請求の範囲】
【請求項１】
室内熱交換器及び送風機を収容する筐体に付随装置が設けられた１又は複数の室内ユニットを有する空気調和装置であって、
前記室内ユニットは、
自ユニットに異常が生じた場合、又は、前記付随装置に異常が生じた場合に、自ユニットを遠隔操作する外部機器に対して前記自ユニットに異常が生じた旨を出力して報知する報知手段を備えると共に、
前記筐体のうち、前記筐体の室内空気の吸込口に設けられたフィルタユニットの内側に相当する箇所に、前記付随装置に異常が生じた場合に当該異常を表示する表示手段を設けたことを特徴とする空気調和装置。
【請求項２】
請求項１に記載の空気調和装置において、
前記室内ユニットは、
前記筐体のうち前記フィルタユニットの内側に相当する箇所には、自ユニットを制御する制御基板を収容した電装箱が設けられ、当該電装箱に前記表示手段が設けられていることを特徴とする空気調和装置。
【請求項３】
請求項１又は２に記載の空気調和装置において、
前記付随装置が備える消耗部品の交換時期が到来した場合に、
前記室内ユニットの報知手段が、前記外部機器に対して前記自ユニットに異常が生じた旨を出力して報知し、前記表示手段が、前記消耗部品の交換時期の到来を表示することを特徴とする空気調和装置。
【請求項４】
請求項１乃至３のいずれかに記載の空気調和装置において、
前記付随装置は、前記室内ユニットが吸い込んだ空気を加湿、或いは、除菌する装置であることを特徴とする空気調和装置。
【発明の詳細な説明】
【技術分野】
【０００１】
本発明は、加湿器等の付随装置が設けられた室内ユニットを有する空気調和装置に関する。
【背景技術】
【０００２】
従来、２方向カセットや４方向カセット等と呼称される天井埋込型の空気調和装置であって、天井に吊り下げられる板金製の外箱（筐体）を備え、この外箱内に送風機及び室内熱交換器を備えた天井埋込型空気調和装置が知られている。この種のものでは、板金製の外箱の外壁面に対し、気化式加湿器等の付随装置（オプション機器）が取り付けられる場合がある（例えば、特許文献１参照）。
また、空気調和装置においては、自装置の状態を検知する複数のセンサを備え、これらのセンサの入力に基づいて異常を判別し、異常が生じた場合には当該異常を表示手段に表示するものがある（例えば、特許文献２参照）。
【特許文献１】特開２００３−２５４５５１号公報
【特許文献２】特開平９−１２６６０４号公報
【発明の開示】
【発明が解決しようとする課題】
【０００３】
ところで、付随装置が取り付けられた空気調和装置において、付随装置が故障等することで当該付随装置に異常が生じることは十分起こり得ることであり、付随装置に生じた異常を速やかにユーザやメンテナンス作業者等に報知する必要がある。
付随装置に生じた異常を表示する表示部を付随装置に設けることで異常の報知は可能であるものの、この構成においては、次のような不具合を生じる。すなわち、室内ユニットの筐体の外壁面（外側）に付随装置が取り付けられる場合、上記のような天井埋込型の空気調和装置においては、この付随装置が天井内に位置するため、異常の表示に気付かない恐れがある。
【０００４】
上記の不具合を解消する構成として、特許文献２に示された技術を応用し、空気調和装置の室内ユニットを遠隔操作するリモートコントローラや複数の室内ユニットを制御する集中制御装置等の外部機器に付随装置の異常を表示する構成が考えられる。この構成によれば、付随装置に異常が生じた場合に、当該付随装置の異常がリモートコントローラや集中制御装置等の外部機器に表示されるため、かかる異常表示によりユーザやメンテナンス作業者は、付随装置に異常が生じたことを速やかに把握することが可能となる。
【０００５】
しかしながら、空気調和装置に生じた異常の表示に加え、さらに、付随装置の異常をリモートコントローラや集中制御装置等の外部機器に表示する構成とすると、それぞれの異常を別個に表示する表示スペースを表示パネルに設ける必要が生じ、当該表示パネルが大型化するといった問題がある。さらに、付随装置が室内ユニットに設けられない場合には、表示パネルにおいて付随装置の異常を表示するスペースは無駄である。
また、付随装置の異常をリモートコントローラや集中制御装置等の外部機器に表示するためには、リモートコントローラや集中制御装置、さらには室内ユニットに対する設計変更が必要となり、その設計変更に手間とコストがかかるといった問題もある。
本発明は、上述した事情に鑑みてなされたものであり、室内ユニットに設けられた付随装置に異常が生じた事を簡単な構成で報知することができる空気調和装置を提供することを目的とする。
【課題を解決するための手段】
【０００６】
上記目的を達成するために、本発明は、室内熱交換器及び送風機を収容する筐体に付随装置が設けられた１又は複数の室内ユニットを有する空気調和装置であって、前記室内ユニットは、自ユニットに異常が生じた場合、又は、前記付随装置に異常が生じた場合に、自ユニットを遠隔操作する外部機器に対して前記自ユニットに異常が生じた旨を出力して報知する報知手段を備えると共に、前記筐体のうち、前記筐体の室内空気の吸込口に設けられたフィルタユニットの内側に相当する箇所に、前記付随装置に異常が生じた場合に当該異常を表示する表示手段を設けたことを特徴とする。
【０００７】
また本発明は、上記発明において、前記室内ユニットは、前記筐体のうち前記フィルタユニットの内側に相当する箇所には、自ユニットを制御する制御基板を収容した電装箱が設けられ、当該電装箱に前記表示手段が設けられていることを特徴とする。
【０００８】
また本発明は、上記発明において、前記付随装置が備える消耗部品の交換時期が到来した場合に、前記室内ユニットの報知手段が、前記外部機器に対して前記自ユニットに異常が生じた旨を出力して報知し、前記表示手段が、前記消耗部品の交換時期の到来を表示することを特徴とする。
【０００９】
また本発明は、上記発明において、前記付随装置は、前記室内ユニットが吸い込んだ空気を加湿、或いは、除菌する装置であることを特徴とする。
【発明の効果】
【００１０】
本発明によれば、リモートコントローラや集中制御装置等の外部機器に対して、付随装置の異常を表示するための設計変更等を施さなくとも、メンテナンス作業者に室内ユニット及び付随装置の異常を報知手段によって報知し、その報知を受けてメンテナンスすべく室内ユニットのフィルタユニットを取り外したメンテナンス作業者に対し、室内ユニットの異常の有無が表示手段の表示状態によって報知されるため、室内ユニットに設けられた付随装置に異常が生じた事を簡単な構成で報知することができる。
【発明を実施するための最良の形態】
【００１１】
以下、図面を参照して本発明の実施形態について説明する。以下の説明では、調和空気の除菌を行う除菌装置を室内ユニットに対する付随装置（オプション機器）として備えた空気調和装置について説明する。
図１は、実施形態の空気調和装置としての空気調和システムの概略構成図である。空気調和システム１００は、一台の室外ユニット１と複数台の室内ユニット２とが冷媒配管１０を介して接続されたいわゆるマルチ型の空気調和ユニット１００Ａ、及び、各室内ユニット２を制御する集中制御装置２００を備えている。
【００１２】
室外ユニット１は、上記冷媒配管１０に配設された圧縮機１１と、当該圧縮機１１の吸込側に接続されたアキュムレータ１２と、上記圧縮機１１の吐出側に接続された四方弁１３、室外熱交換器１４、及び、電動膨張弁１５とを有している。室外ユニット１は、圧縮機１１によって圧縮された高温高圧の冷媒の流路を四方弁１３によって切り換えることにより冷房運転と暖房運転との切り換えを行う。すなわち、室外ユニット１は、冷房運転時には図中に示す破線矢印の方向に高温高圧の冷媒を流して室外熱交換器１４を凝縮器として室内ユニット２の室内熱交換器２１を蒸発器として作用させ、暖房運転時には実線矢印の方向に冷媒を流して室内熱交換器２１を蒸発器として室内ユニット２の室内熱交換器２１を凝縮器として作用させる。
【００１３】
室内ユニット２は、筐体２０内に、上記冷媒配管１０に接続された室内熱交換器２１と、室内ユニット２に吸込口３３を介して空気を導入し、室内熱交換器２１による熱交換後の空気を吹出口３４を介して室内に送風する送風ファン２２とを有している。
さらに、室内ユニット２には、購入時にユーザの選択、決定等に応じて取り付けられる付随装置としての除菌装置１５０が取り付けられている。この除菌装置１５０は、送風ファン２２により室内ユニット２に導入される空気に活性酸素種を含む電解水を接触させて空気の除菌を行う空気除菌ユニット４と、所定のイオン種を含む水を電気分解して、活性酸素種を含む電解水を生成して空気除菌ユニット４に供給する電解ユニット５とを有している。
【００１４】
室内熱交換器２１および空気除菌ユニット４の下方には、冷房運転時に室内熱交換器２１の表面に付着して滴下するドレン水および空気除菌後の電解水を受けるドレンパン２４が配置されている。
電解ユニット５は、配水管６を介して電解ユニット５に水を供給する給水源に接続されている。配水管６を図示しない水道管に接続して、水道を給水源としてもよいし、配水管６を水を貯留する図示しない給水槽と接続して、当該給水槽を給水源としてもよい。ここで、給水槽に貯留される水は、水道水のように塩化物イオン等の除菌能力のある所定のイオン種が予め含有されている水であってもよいし、井戸水等のイオン種濃度の希薄な水に塩化物イオン等の除菌能力のある所定のイオン種を添加したものであってもよい。以下、配水管６を介して給水源から電解ユニット５に対して供給されるこれらの水を「電解対象水」という。
【００１５】
配水管６は、給水源と接続される共用配管６１と、共用配管６１から各室内ユニット２に分岐して水道水等を電解ユニット５に分配する分配管６２とを備えている。また、共用配管６１には電磁弁６３が設けられている。
各室内ユニット２には、電解ユニット５と、分配管６２との間に、分配管６２側から見て直列に逆止弁２８、電動弁２９、及び、切換弁３０がそれぞれ設けられており、電磁弁６３の開閉および電動弁２９の開度調整により電解ユニット５へ供給する電解対象水の量を調整しつつ、供給が行われる。また、逆止弁２８は、電解対象水の逆流を防止しする。切換弁３０は、電解対象水の供給先を電解ユニット５とドレンパン２４との間で切り換えることとなる。この切り換えは、運転停止指示がなされた場合に行われるものであり、ドレンパン２４内に高イオン濃度の電解水が滞留しないようにするものである。
【００１６】
次に、図２乃至図４を参照して、室内ユニット２のより具体的な構成について説明する。図２は室内ユニット２の設置状態における断面図である。図３は室内ユニット２からフィルタユニット３５及び化粧パネル３２を外した状態を示す斜視図である。図４は室内ユニット２の分解斜視図である。
図２および図３に示すように、本実施形態の室内ユニット２は、いわゆる天井埋込型に構成され、建物の天井１０１に形成された略矩形の天井孔１０２から当該天井１０１の内部に収納される板金製の筐体２０を有している。筐体２０は、図３及び図４に示すように、下面（但し、図４において上方）が開口した略四角形の箱形に形成されている。筐体２０の四隅には吊り金具１０３が設けられ、それぞれの吊り金具１０３が天井裏から吊り下げられる吊りボルト１０４に止着され、これにより、筐体２０が天井空間に吊り下げられる。
【００１７】
筐体２０の下面には、平面視において略正方形に形成された化粧パネル３２が設けられ、この化粧パネル３２により天井孔１０２が覆われる。化粧パネル３２には室内の空気を筐体２０内に吸い込むための略矩形の吸込口３３が平面視において略中央に形成されている。この吸込口３３には吸込グリル３６が開閉自在に掛止され、また、この吸込グリル３６には吸込み空気から粉塵等を除去するフィルタユニット３５が載置されており、吸込グリル３６によってフィルタユニット３５が吸込口３３を覆うように配置されている。化粧パネル３２の四辺にはそれぞれ辺に沿って長尺に形成された吹出口３４が形成されており、室内に対してこの四つの吹出口３４から四方向に空気が吹き出されている（すなわち四方向吹出型）。
【００１８】
図４に示すように、筐体２０の側面には開口２０ｃが形成されており、この開口２０ｃには除菌装置１５０が取り付けられている。除菌装置１５０は、逆止弁２８、電動弁２９、切換弁３０および除菌装置１５０の動作を制御する制御基板３１、さらに、上記電解ユニット５を搭載した設置パネルＰを有し、これら搭載された各部を筐体２０の外側に向けた状態で設置パネルＰが開口２０ｃに嵌め込まれ、また、設置パネルＰ全体が筐体２０の外側からカバーＣにより覆われている。筐体２０には送風ファン２２が設けられているため、筐体２０の内側から除菌装置１５０の設置パネルＰの搭載部品をメンテナンスすることはできない。そこで、図２に示すように、天井１０１には室内ユニット２の天井孔１０２の近傍に、除菌装置１５０をメンテナンス或いは点検するための点検口１５５が並設されている。
メンテナンス作業者は、除菌装置１５０をメンテナンス或いは点検する場合、上記点検口１５５を覆う図示せぬ開閉扉を開けて、点検口１５５から天井裏に潜り込み、室内ユニット２の筐体２０の外側に取り付けられた除菌装置１５０のカバーＣを取り外し、設置パネルＰに搭載されている各部の点検等を行う。
【００１９】
次に、室内ユニット２の筐体２０の内部構成について説明する。
筐体２０の側板２０ａの内面には発泡スチロール製の断熱体２３が設けられている。また、筐体２０の天板の内側２０ｂにはモータ２２ａが固定され、このモータ２２ａのシャフトには羽根車２２ｂが取り付けられており、これらが送風ファン２２を構成している。この送風ファン２２を取り囲むように、筐体２０の側板２０ａに沿って略四角形状に曲げられた室内熱交換器２１が上記発泡スチロール製の断熱体２３の内側に配置されている（図３参照）。この室内熱交換器２１には送風ファン２２により吸込口３３から吸い込まれた空気が供給され、室内熱交換器２１により熱交換された空気が各吹出口３４から吹き出されるように構成されている。
【００２０】
また、図２乃至図４に示すように、室内熱交換器２１の下方には、発泡スチロール製のドレンパン２４が配置されている。このドレンパン２４は、外周面が筐体２０の内面に略設した状態で筐体２０内に配置される。また、このドレンパン２４には、化粧パネル３２の吸込口３３および吹出口３４に対応する位置に吸込開口２５及び吹出開口２６が設けられている。吸込開口２５は、図４に示すように、略矩形に形成されたドレンパン２４の中央に平面視略円形に形成されている。また、吹出開口２６はドレンパン２４の４辺に沿ってそれぞれ形成されている。
【００２１】
また、筐体２０の内側であって、ドレンパン２４とフィルタユニット３５との間、すなわち、室内ユニット２を天井１０１に取り付けた状態において、フィルタユニット３５を化粧パネル３２から外したときに露出する箇所には、室内ユニット２の各部を制御する制御基板３１０を収容した電装箱３００が配置されている。
メンテナンス作業者は、当該室内ユニット２をメンテナンス或いは点検する場合、吸込グリル３６と化粧パネル３２との係合を解除して、当該吸込グリル３６と共にフィルタユニット３５を外して電装箱３００等を露出させてメンテナンス等を実施する。
この電装箱３００には、制御基板３１０の他にＬＥＤ基板３２０が内蔵されている。このＬＥＤ基板３２０は、制御基板３１０の制御の下、電装箱３００の表面に吸込口３３から視認可能に配置されたＬＥＤ３２１の点灯を制御するものであり、後に詳述するが、ＬＥＤ３２１は、除菌装置１５０に異常が発生した場合に点灯し、その異常を報知する。
【００２２】
上記ドレンパン２４には、室内熱交換器２１の一隅に相当する位置にドレンポンプ２７が配設され、ドレンパン２４に貯留したドレン水は吸入管２７Ａ（図１参照）の吸入口を介してドレンポンプ２７（図３参照）により汲み上げられて、室内ユニット２の外部に排出される。
さらに、このドレンパン２４には、切換弁３０に接続された給水管３０Ａの給水口が対向するように配置され、このとき、給水管３０Ａは、ドレンポンプ２７側を最下流側として最上流側に給水源からの水を供給するようにすべく、ドレンポンプの吸入管２７Ａの吸入口と、給水管３０Ａの給水口とは、ドレンパン２４の略対角線上に配置されている。
一方、四角形状に折り曲げられた室内熱交換器２１の一辺には、その外側に、上記除菌装置１５０の空気除菌ユニット４が配置される。本実施形態では、室内熱交換器２１の端部に該当する辺と断熱体２３との間に空気除菌ユニット４が配置されている。これにより、化粧パネル３２に形成された一の吹出口３４からは、空気除菌ユニット４において除菌された空気が吹き出される。
【００２３】
図５は、空気除菌ユニット４の外観斜視図である。空気除菌ユニット４は、保水性の高い気液接触部材４１と、この気液接触部材４１の上部に配置される分散皿４２と、気液接触部材４１の下方に配置される水受け皿４３とを備える。気液接触部材４１は、例えばアクリル繊維やポリエステル繊維等で作製された不織布で構成することができる。また、気液接触部材４１の素材として、電解水に対する反応性の少ない素材が好ましく、他にポリオレフィン系樹脂（ポリエチレン樹脂、ポリプロピレン樹脂等）、塩化ビニル樹脂、フッ素系樹脂（ＰＴＦＥ、ＰＦＡ、ＥＴＦＥ等）、セルロース系材料またはセラミックス系材料等を用いることができる。
【００２４】
本実施形態では、気液接触部材４１に対して親水処理を施すことなどにより、電解水に対する親和性を高めている。これにより、気液接触部材４１の電解水の保水性（湿潤性）が保たれ、電解水と導入された空気との接触が長時間持続される。
分散皿４２は、その側面に電解水供給配管５１が接続される接続口４２ａが形成されるとともに、当該電解水供給配管５１を通じて供給された電解水を滴下して、気液接触部材４１に分散させるための孔（不図示）が、上記分散皿４２の底面に多数形成されている。
また、水受け皿４３は、気液接触部材４１を下方から保持するとともに、当該気液接触部材４１を通過した電解水を貯留可能とする。この水受け皿４３の底面には、電解水をドレンパン２４（図２および図４参照）に導くドレン管４４が接続されている。
【００２５】
図６は、電解ユニットの構成説明図である。電解水を気液接触部材４１に供給する電解ユニット５は、電解槽５２と、少なくとも一対の電極５３ａ、５３ｂとを備え、電極５３ａ、５３ｂは、通電された場合、電解槽５２に配水管６を介して供給された所定のイオン種が添加された水道水等を電気分解して活性酸素種を含む電解水を生成させる。
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。電解槽５２は気液接触部材４１に接近して配置され、電解水供給配管５１を介して活性酸素種を含む電解水をただちに気液接触部材４１に供給できるように構成される。
【００２６】
電極５３ａ、５３ｂは、例えばベースがＴｉ（チタン）で皮膜層がＩｒ（イリジウム）、Ｐｔ（白金）から構成された２枚の電極板を用いることができる。
上記電極５３ａ、５３ｂにより水道水等に通電すると、カソード電極では、
４Ｈ+＋４ｅ-＋（４ＯＨ-）→２Ｈ2＋（４ＯＨ-）
の反応が起こり、アノード電極では、
２Ｈ2Ｏ→４Ｈ+＋Ｏ2＋４ｅ-
の反応が起こると同時に、水道水等に元々含有される塩化物イオンまたはイオン種添加ユニット７により添加された塩化物イオン等が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００２７】
この構成では、電極５３ａ、５３ｂに通電することにより、殺菌力の大きい次亜塩素酸（ＨＣｌＯ）等が発生し、この次亜塩素酸等の活性酸素種を含んだ電解水が供給された気液接触部材４１に空気を通過させることにより、当該気液接触部材４１を通過する空気中に浮遊するウィルス等を不活化させて、空気を除菌することができるとともに、この気液接触部材４１で雑菌が繁殖することを防止することができる。また、臭気等のガス状物質も気液接触部材４１を通過する際に、電解水に溶解したり、電解水中の次亜塩素酸等の活性酸素種と反応したりして、空気中から除去され、脱臭することができる。
この電極５３ａ、５３ｂに所定の電流密度の電流（例えば、２０ｍＡ／ｃｍ2等）を通電すると、所定量の水道水等を電気分解して、所定の濃度の活性酸素種（例えば、遊離残留塩素濃度１ｍｇ／ｌ等）を含む電解水を生成することができる。
【００２８】
図７は、室内ユニット２及び除菌装置１５０の電気的構成を示すブロック図である。
室内ユニット２の電装箱３００には、制御基板３１０と共に、当該電装箱３００の表面に露出するように設けられたＬＥＤ３２１を点灯制御するＬＥＤ基板３２０が収容されている。
制御基板３１０は、図７に示すように、ＣＰＵやＲＯＭ、ＲＡＭ等を備え自身の室内ユニット２の各部を制御する制御手段としての制御部３１１と、集中制御装置２００や室外ユニット１、他の室内ユニット２等と相互に通信する通信部３１２と、空気調和室に設置されたリモートコントローラ３５０との間で信号を送受するリモコン送受信部３１３と、自身の室内ユニット２の動作異常を検出し制御部３１１に出力する異常検出部３１４とを備え、さらに、除菌装置１５０との接続インターフェースである接続インターフェース部３１５と、上記ＬＥＤ基板３２０に対してＬＥＤ点灯指令信号を出力するＬＥＤ点灯指令出力部３１６とを有している。
【００２９】
上記リモートコントローラ３５０は、室内ユニット２に対する温度設定や空調動作モードの切換操作（冷房／暖房切換）といったユーザの操作を受け付ける操作パネル３５１と、室内ユニット２の動作状態や動作設定（設定温度等）、現在の室温といった各種情報を表示する表示パネル３５２とを有し、操作パネル３５１に対する操作を室内ユニット２に送信する共に、室内ユニット２に関する各種情報をリモコン送受信部３１３から受信して表示パネル３５２に表示する。
【００３０】
また、室内ユニット２の異常検出部３１４が室内ユニット２の異常を検出した場合、制御部３１１は、当該室内ユニット２に異常が発生した事をユーザやメンテナンス作業者に報知すべく、リモコン送受信部３１３を介してリモートコントローラ３５０に室内ユニット２に異常が生じた旨の異常発生信号を送信する。これにより、リモートコントローラ３５０の表示パネル３５２においては、例えば「異常発生」等の文字の表示、或いは、警報ランプの点灯といった表示が行われ、室内ユニット２に異常が発生した事がユーザやメンテナンス作業者に報知される。さらに、室内ユニット２の制御部３１１は、集中制御装置２００と接続されている場合、室内ユニット２に異常が発生したときには、リモートコントローラ３５０と共に、この集中制御装置２００に対しても、自身の室内ユニット２に異常が発生した旨を通信部３１２を介して送信し異常を報知する。
【００３１】
次いで、除菌装置１５０の制御基板３１は、ＣＰＵやＲＯＭ、ＲＡＭ等を備え、除菌装置１５０の各部を制御する制御手段としての制御部４００と、除菌装置１５０の動作異常を検出する異常検出部４０１と、使用状況等によって経年劣化する消耗部材（例えば、気液接触部材４１）の交換時期の到来を当該消耗部材の使用期間に基づいて検出する交換時期検出部４０３と、室内ユニット２の制御基板３１０との接続インターフェースである接続インターフェース部４０２とを有している。
【００３２】
かかる構成の下、除菌装置１５０の異常検出部４０１が異常を検出した場合、当該除菌装置１５０の制御部４００は、当該除菌装置１５０に異常が発生した旨を示す異常発生信号を接続インターフェース部４０２を介して室内ユニット２に出力する。
室内ユニット２の制御部３１１は、除菌装置１５０から異常発生信号が入力された場合、室内ユニット２の異常検出部３１４が異常を検出したときと同様の異常発生信号を、リモコン送受信部３１３を介してリモートコントローラ３５０に送信し、また、集中制御装置２００と接続されている場合には、この集中制御装置２００に対しても異常が発生した旨を通信部３１２を介して送信して異常を報知する。
さらに、室内ユニット２の制御部３１１は、除菌装置１５０から異常発生信号が入力された場合には、ＬＥＤ点灯指令出力部３１６を介してＬＥＤ基板３２０にＬＥＤ点灯指令信号を出力し、電装箱３００に設けられたＬＥＤ３２１を点灯させる。
【００３３】
これにより、リモートコントローラ３５０の表示パネル３５２の表示、或いは、集中制御装置２００の報知により、ユーザやメンテナンス作業者に対して、室内ユニット２に異常が発生したことが報知される。そして、この報知に応じて、メンテナンス作業者が室内ユニット２のメンテナンスのために室内ユニット２のフィルタユニット３５を取り外した際にＬＥＤ３２１が設けられた電装箱３００が露出し、このＬＥＤ３２１の点灯によって、除菌装置１５０で異常が発生していることがメンテナンス作業者に報知されることになる。
【００３４】
このように、除菌装置１５０に異常が発生した場合には、室内ユニット２は、自ユニットに異常が発生した場合と同様の異常発生信号をリモートコントローラ３５０或いは集中制御装置２００に対して出力し異常発生を報知させると共にＬＥＤ３２１を点灯させて異常が除菌装置１５０で発生していることを報知する構成としているため、リモートコントローラ３５０及び集中制御装置２００に対して除菌装置１５０の異常を報知するための仕様変更を行う必要が無く、除菌装置１５０の異常を簡単に通知することができる。このとき、ＬＥＤ３２１が、室内ユニット２のメンテナンス時に必ず操作される電装箱３００の表面に設けられているため、室内ユニット２の異常の報知に応じて当該室内ユニット２をメンテナンスする作業者に対して、その異常が除菌装置１５０で発生していることを確実に通知されることとなる。
【００３５】
さて、除菌装置１５０の制御部４００は、交換時期検出部４０３が消耗部材の交換時期を検出した場合、当該除菌装置１５０の消耗部材を交換すべき旨を示す交換時期到来信号を接続インターフェース部４０２を介して室内ユニット２に出力する。
室内ユニット２の制御部３１１は、除菌装置１５０から交換時期到来信号が入力された場合、室内ユニット２の異常検出部３１４が異常を検出したときと同様の異常発生信号を、リモコン送受信部３１３を介してリモートコントローラ３５０に送信し、また、集中制御装置２００と接続されている場合には、この集中制御装置２００に対しても異常が発生した旨を通信部３１２を介して送信して異常を報知し、さらに、ＬＥＤ点灯指令出力部３１６を介してＬＥＤ基板３２０にＬＥＤ点灯指令信号を出力して電装箱３００に設けられたＬＥＤ３２１を点滅させ、当該除菌装置１５０の消耗部材に交換時期が到来していることをメンテナンス作業者に通知する。
これにより、除菌装置１５０等の付随装置が室内ユニット２と共に天井１０１に埋め込まれ隠れてしまう場合でも、消耗部材の交換時期の到来をユーザやメンテナンス作業者に速やかに通知することが可能となる。
【００３６】
以上説明したように、本実施形態によれば、室内ユニット２の筐体２０のうちフィルタユニット３５の内側に相当する箇所に設けられた電装箱３００の表面にＬＥＤ３２１を設け、除菌装置１５０に異常が生じた場合には、室内ユニット２は、リモートコントローラ３５０や集中制御装置２００に対して室内ユニット２に異常が生じた場合と同様の信号を出力し室内ユニット２に異常が発生した旨を報知すると共に、上記電装箱３００のＬＥＤ３２１を点灯させる構成とした。
【００３７】
この構成により、リモートコントローラ３５０及び集中制御装置２００等の外部機器に対して除菌装置１５０の異常を報知するための仕様変更を行う必要が無く、除菌装置１５０の異常を簡単な構成で通知することができる。
さらに、除菌装置１５０の異常を点灯表示するＬＥＤ３２１を電装箱３００に設ける構成としたため、室内ユニット２をメンテナンスする作業者に対して、その異常が除菌装置１５０で発生していることを確実に通知することができる。また、ＬＥＤ３２１の配線の引き回しが容易となる。
【００３８】
また、本実施形態によれば、除菌装置１５０が備える消耗部品の交換時期が到来した場合に、室内ユニット２が、自ユニットに異常が生じた場合と同様の信号をリモートコントローラ３５０や集中制御装置２００に出力して室内ユニット２に異常が発生した旨を報知すると共に、上記ＬＥＤ３２１の点滅表示によって、消耗部品の交換時期の到来を報知する構成としたため、消耗部材の交換時期の到来をメンテナンス作業者に簡単な構成で確実に通知することが可能となる。
【００３９】
なお、上述した実施の形態は、あくまでも本発明の一態様を示すものであり、本発明の範囲内で任意に変形および応用が可能である。
例えば、上述した実施形態では、除菌装置１５０の異常や当該除菌装置１５０の消耗部材の交換時期をＬＥＤ３２１の点灯表示によって報知する構成としたが、これに限らず、各種の７セグメント表示器等の各種の表示手段を用いることが可能である。
また例えば、上述した実施形態では、付随装置として除菌装置１５０を例示したが、これに限らず、例えば気化式加湿器や脱臭装置等の機器であっても良い。
また例えば、上述した実施形態では、空気調和装置として天井埋込型空気調和装置を例示したが、これに限らず、天井１０１から室内ユニット２の筐体２０を備えるユニット本体が吊り下げられた天井吊型空気調和装置や、室内ユニット２の筐体２０を備えるユニット本体が空調室の壁に取り付けられる壁掛型空気調和装置であっても良い。
【図面の簡単な説明】
【００４０】
【図１】本発明の実施形態に係る空気調和装置（空気調和システム）の概略構成を示す図である。
【図２】室内ユニットの設置状態における断面図である。
【図３】室内ユニットからフィルタユニット及び化粧パネルを外した状態を示す斜視図である。
【図４】室内ユニットの分解斜視図である。
【図５】空気除菌ユニットの外観斜視図である。
【図６】電解ユニットの構成説明図である。
【図７】室内ユニット及び除菌装置の電気的構成を示すブロック図である。
【符号の説明】
【００４１】
１  室外ユニット
２  室内ユニット
４  空気除菌ユニット
５  電解ユニット
２０  筐体
２１  室内熱交換器
２２  送風ファン（送風機）
３３  吸込口
３５  フィルタユニット
３６  吸込グリル
１００  空気調和システム
１５０  除菌装置（不随装置）
１５５  点検口
２００  集中制御装置
３００  電装箱
３１４、４０１  異常検出部
３２１  ＬＥＤ（表示装置）
３５０  リモートコントローラ
４０３  交換時期検出部
【図１】
2008175470.tif 000003
【図２】
2008175470.tif 000004
【図３】
2008175470.tif 000005
【図４】
2008175470.tif 000006
【図５】
2008175470.tif 000007
【図６】
2008175470.tif 000008
【図７】
2008175470.tif 000009